(57)【特許請求の範囲】
【請求項１】
透水性層及び保水材を備えた保水性舗装体に、該保水性舗装体の設けられている場所の環境に適合するような揮発性液体を供給し、該揮発性液体を該保水性舗装体の表面から連続的に発散させる液体供給装置であって、
上記揮発性液体が、香料又は消臭剤であり、
上記供給装置は、上記揮発性液体を貯蔵する貯蔵タンクと、上記保水性舗装体の内部に配置され該揮発性液体を該保水性舗装体の内部に供給する液体供給部と、該貯蔵タンクから該液体供給部に該揮発性液体を導入する導入パイプと、該保水性舗装体の内部に導入する該揮発性液体の導入量を調節する液量調節部とを具備し、該液量調節部は該導入パイプの経路中に配設したことを特徴とする液体供給装置。
【請求項２】
上記透水性層が、透水性アスファルト舗装、透水性コンクリート舗装又は透水性樹脂舗装から構成される、請求項１に記載の液体供給装置。
【請求項３】
上記液量調節部が、上記揮発性液体を上記保水性舗装体の内部に供給する供給ポンプと、点滴筒と、上記揮発性液体の滴下速度を調節するローラクランプとを具備し、該供給ポンプは、上記貯蔵タンクと上記液体供給部との間に配設されている、請求項１又は２に記載の液体供給装置。
【請求項４】
上記貯蔵タンクと上記液体供給部とを直結するバイパス導入パイプが配設されている、請求項３に記載の液体供給装置。
【発明の詳細な説明】
【技術分野】
【０００１】
本発明は、舗装体の表面から香り等を連続的に発散させるための液体供給装置に関し、詳しくは、保水性舗装体の内部に香り等の揮発性液体を連続的あるいは一時的に供給し、保水性舗装体の設けられている環境に適合するような香りを、保水性舗装体の表面から連続的に発散させるための液体供給装置に関する。
【背景技術】
【０００２】
近年、地球温暖化現象及び都市部におけるヒートアイランド現象や幹線道路周辺の夏期における熱環境が非常に問題になっている。ヒートアイランド現象は、市街化地域の高層ビル群が空気の流れを遮断し、直射日光による舗装路面の熱吸収が原因となって発生するものである。
【０００３】
ヒートアイランド現象を抑制するために、連続空隙を有する透水性アスファルト舗装、透水性コンクリート舗装及び透水性樹脂舗装等の舗装体の空隙部に、保水性を有する充填材を注入し、該充填材に水分を保持させた保水性舗装が最も効果的であると考えられている。この保水性舗装は、舗装体内に保水された水分の蒸発による気化熱を利用して舗装体温度及び周辺温度を下げて舗装体からの放射熱を低減する効果を奏するものである。
しかし、この保水された水分の蒸発による気化熱を利用して香りを発散させる技術は今日まで報告されていない。
一方、香りを発散させる舗装は、ゴムチップ平板舗装用ブロック（特許文献１参照）や木質系舗装が報告されている（特許文献２参照）。
これらの香りを発散させる舗装は、ゴムチップや、木材等の材料に香料を練り込み香りを出していたので、舗装体中の香料が無くなれば香りが出なくなり、短い間でしか香りを楽しむことは出来なかった。また、保水性舗装の水分を供給する仕組みは、かなり大掛かりな装置であるのが通常であり（例えば特許文献３及び４参照）、その水分を供給する装置に、香料を混入することは出来るが、多量に香料を必要とすることからコスト的に問題があった。
【０００４】
【特許文献１】特開２００１−１３１９０３号公報
【特許文献２】登録実用新案第３０１６４１３号公報
【特許文献３】特開２００５−２５７５号公報
【特許文献４】特開２００６−２９９５１４号公報
【発明の開示】
【発明が解決しようとする課題】
【０００５】
従って、本発明の目的は、通常の保水性舗装に用いられる水の供給装置のような大掛かりな設備を要せずに、保水性舗装体の設けられている環境に適合するような香りを、保水性舗装体の表面から連続的に発散させることができる液体供給装置を提供することにある。
【課題を解決するための手段】
【０００６】
本発明は、透水性層及び保水材を備えた保水性舗装体に、該保水性舗装体の設けられている場所の環境に適合するような揮発性液体を供給し、該揮発性液体を該保水性舗装体の表面から連続的に発散させる液体供給装置であって、
上記揮発性液体が、香料又は消臭剤であり、
上記供給装置は、上記揮発性液体を貯蔵する貯蔵タンクと、上記保水性舗装体の内部に配置され該揮発性液体を該保水性舗装体の内部に供給する液体供給部と、該貯蔵タンクから該液体供給部に該揮発性液体を導入する導入パイプと、該保水性舗装体の内部に導入する該揮発性液体の導入量を調節する液量調節部とを具備し、該液量調節部は該導入パイプの経路中に配設したことを特徴とする液体供給装置を提供するものである。
【発明の効果】
【０００７】
本発明の液体供給装置によれば、通常の保水性舗装に用いられる水の供給装置のような大掛かりな設備を要せずに、香り等を保水性舗装体の表面から発散させることができる。
また、本発明の液体供給装置を、レストラン、花屋、美容室等の店舗前の舗装の一部に施工すれば、草花の香り、柑橘系の香り等、施工場所に合わせた香りを、保水性舗装体の表面から発散させることができる。また、違う香りを楽しみたい場合は、香料を変えるだけで違う香りを楽しむことができる。
【発明を実施するための最良の形態】
【０００８】
以下、本発明の液体供給装置を、その好ましい実施例に基づき図面を参照しながら説明する。
【０００９】
図１は、本発明の液体供給装置の一実施形態を保水性舗装体に施工した状態で模式的に示す断面図であり、図２は、保水性舗装体の内部に配置された、液体供給部と導水パイプとの位置関係の一例を示す上面図である。
【００１０】
本実施形態の液体供給装置１は、図１に示すように、揮発性液体２を貯蔵する貯蔵タンク３と、該揮発性液体２を保水性舗装体１０の内部に供給する液体供給部４と、該貯蔵タンク３から該液体供給部４に該揮発性液体２を導入する導入パイプ５と、該揮発性液体２の導入量を調節する液量調節部６とを具備する。
【００１１】
上記貯蔵タンク３は、図１に示すように、底部に揮発性液体２を排出する液体排出口が設けられていて、該排出口は、連結管８により、液量調節部６に連結されている
【００１２】
上記液量調節部６は、図１に示すように、上流側から順に配設された点滴筒６１とローラクランプ６２とを備え、該点滴筒６１は、透明状の筒状体であって、連結管８により貯蔵タンク３に連結されている。該連結管８の下方先端部は細管となしており、該点滴筒６１の内部に挿入されている。また、該連結管８の経路中には調整バルブ７ａが設けられている。
上記点滴筒６１の底部には液体排出口が設けられ、該液体排出口は、弾性チューブ６３に接続されている。該点滴筒６１は、透明状の材料で構成されているため、該点滴筒６１の内部に挿入されている連結管８の細管から滴下する揮発性液体２の滴下量を確認できる。
【００１３】
上記ローラクランプ６２は、弾性チューブ６３に当接する側板６２ａと、該側板６２ａの左右両端側辺から垂直に同方向に設けられた左右一対の側壁６２ｂ、６２ｂと、支軸に支持されたローラ６２ｃとから構成されている。
上記左右一対の側板６２ｂ、６２ｂには、上から下に向けて弾性チューブ６３側に傾斜させた一対の案内溝（図示せず）を設けてあり、該一対の案内溝に、ローラ６２ｃを支持する支軸の両端を取り付けてある。
そして、上記ローラ６２ｃを、時計方向又は逆方向に回転させることによって、支軸が上下方向に案内溝間に跨り摺動自在に移動するように設けてある。ローラ６２ｃを、下方に移動させることにより、該ローラ６２ｃと上記側板６２ａとの間で弾性チューブ６３を押圧し、該弾性チューブ６３の内腔を変形することによって、該弾性チューブ６３の内部を通る揮発性液体２の流量を調節できる。上記弾性チューブ６３は、調節バルブ７ｂに連結されている。
【００１４】
上記液体供給部４は、上記導入パイプ５により調整バルブ７ｂと連結されており、貯蔵タンク３から導入された揮発性液体２を保水性舗装体１０の内部に供給する。該液体供給部４としては、多孔質材料であれば特に制限されないが、例えば、ポーラスストーン、多孔管等が挙げられ、該ポーラスストーンとしては、鑑賞魚用の酸素供給用のものが挙げられる。
【００１５】
本実施形態である液体供給装置１は、揮発性液体２を貯蔵タンク３から液体供給部４に供給する経路として、上記調整バルブ７ａと７ｂとの間に、液量調整部６を構成する、点滴筒６２からローラクランプ６３通る経路とは別にバイパス９が設けられている。該バイパス９は、該調整バルブ７ａと７ｂとの間を連結するバイパス導入パイプ９ｂと、該バイパス導入パイプ９ｂの経路中に設けられた供給ポンプ９ａとを備える。上記調整バルブ７ａ及び７ｂは、上記液量調節部６とバイパス９との切り替え及び上記貯蔵タンク３からの揮発性液体２の供給の停止を行なえるように形成されている。
【００１６】
上記保水性舗装体１０は、透水性層１１及び保水材１２を具備する。該透水性層１１は、雨水が透過できるように多孔質状に舗設した舗装体であり、一般に１５〜３０容積％の空隙部を有する、透水性アスファルト舗装、透水性コンクリート舗装又は透水性樹脂舗装等の舗装体から構成される。また、これらを組み合わせて用いても良い。
上記透水性層１１は、複数層から構成されてもよく、施工する場所が店舗等の前であれば、一層から構成されてもよい。
【００１７】
上記保水材１２は、上記透水性層１１を構成する舗装体の空隙部に充填され、上記保水性舗装体１０の内部に揮発性液体２を保持させる機能を有する。該保水材１２としては、一般に市販されている保水材を用いればよく、具体的には、再生保水材（スラッジ脱水ケーキを用いたもの：日本土石工業（株）製）、クールベーブ（商品名：ヤハギ道路（株）製）、アクアクール（商品名：鹿島道路（株）製）、ダイヤツインホスイ（商品名：東京鋪装工業（株）製）等が挙げられる。これらの中でも、揮発性液体２の保持力に優れることから、再生保水材（スラッジ脱水ケーキを用いたもの：日本土石工業（株）製）が好ましい。
また、上記保水性舗装体１０の下層には、適宜、不透水性層等を設けても良く、その構成は特に制限されない。
【００１８】
上記揮発性液体２は、保水性舗装体１０の設けられている場所の環境に適合するように選択される。このような揮発性液体２としては、香料、消臭剤等が挙げられる。
香料としては、単体香料、調合香料、合成香料、天然香料等が挙げられ、一般に市販されている香水、オードパルファム、オードトワレ、スプラシュ、オーデコロン等を用いることもできる。また、香料は、適宜蒸留水で薄めたものを用いてもよい。また、消臭剤としては、液体の消臭剤で、化学薬品を利用したものや、酵素を利用したもの等が挙げられ、一般に市販されている消臭剤を用いてもよい。具体的には、バイオ系、植物精油系、高分子系の消臭剤等が挙げられる。これらの消臭剤は、原液または蒸留水で薄めたものを用いるとよい。
【００１９】
また、本実施形態の液体供給装置１による、揮発性液体２の供給及び供給量の調節は以下のようにして行なう。
先ず、調整バルブ７ａ及び調整バルブ７ｂをバイパス側に設定する。
供給ポンプ９ａを作動させて、貯蔵タンク３から、バイパス導入パイプ９ｂを通して、液体供給部４に揮発性液体２を導入し、保水性舗装体１０の内部に揮発性液体２を供給する。
次に、保水性舗装体１０の表面から揮発性液体２が発散し始めて定常状態に達すると、調整バルブ７ａ及び７ｂを液量調節部６側に切り替える。
次に、点滴筒６１の内部に挿入された、連結部８の先端部から滴下する揮発性液体２の滴下量を確認しながら、ローラクランプ６２の内部に挿入された弾性チューブ６３を、ローラ６２で押圧して、揮発性液体２の流量を調節することで保水性舗装体１０の表面から発散させる揮発性液体２の量を調節する。
【００２０】
次に、本実施形態の液体供給装置を保水性舗装体に施工する場合ついて説明する。
先ず、保水性舗装体１０の母体となる透水性層１１を施工する前に、揮発性液体２を供給する導入パイプ５及び液体供給部４を、保水性舗装体１０を設ける基層（通常、不透水性層）上に設置しておく。その上に、透水性層１１を構成する透水性アスファルト舗装、透水性コンクリート舗装又は透水性樹脂舗装等を敷均し、保水性舗装体１０の母体である透水性層１１を築造する。続いて、透水性層１１の空隙部へ保水材１２の充填を行なう。
充填方法としては、保水材１２を舗装体の表面に流し込み（保水材１２が粉体の場合は舗装体の表面に散布し）、バイブロプレートや振動ローラにて舗装体及び保水材１２に振動を与えながら舗装体の空隙部に保水材１２を充填する。
このようにして、保水性舗装体１０の内部に揮発性液体２を供給する導入パイプ５及び液体供給部４を具備する保水性舗装体１０を作製する。尚、保水性舗装体１０は、既に作製されている舗装体の一部に施工して、その内部に導入パイプ５及び液体供給部４を設けてもよい。この保水性舗装体１０に、本実施形態の液体供給装置１を設置し、設置した環境に適合するような揮発性液体２を保水性舗装体１０の内部に供給し、保水性舗装体１０の表面から液体の気化を利用して香り等の揮発性液体２を発散させる。
【００２１】
なお、本発明は、上記実施形態及び使用態様に限定されることなく、本発明の範囲を逸脱しない範囲において適宜変更が可能である。例えば液量調節部６は、病院等で用いられている点滴を応用したものであるが、任意に調節できる電動の液量調節器に変更することができる。
【実施例】
【００２２】
以下に実施例により本発明を更に詳細に説明する。しかしながら本発明の範囲はかかる実施例に制限されるものではない。
尚、以下の実施例は、本発明の液体供給装置１を花台に適用したものである。
【００２３】
化粧型枠１３及び底板１４からなり、うち寸法３０ｃｍ角の外枠を用意した。この外枠は、そのまま花台となる型枠である。型枠の内側は、ビニールで防水処理を施した。化粧型枠１３の一部に導入パイプ５を通す穴を設け、図２で示すように導入パイプ５を通し、ほぼ中央の位置で、液体供給部４であるポーラスストーンと結合させた。図１で示すように底板１４上に、透水性層１１の下地層として透水性コンクリート舗装（日本土石工業（株）製）１１ａを３ｃｍの厚さで敷均して７２時間養生した。養生が終了してから透水性層１１の表面層として、透水性樹脂舗装１１ｂ（近代化成（株）製）を１ｃｍの厚さで仕上げた。透水性樹脂舗装１１ｂが硬化してから、化粧型枠１３を電動平面バイブレーターを用いて振動させながら、保水材１２（日本土石工業（株）製）を充填した。保水材１２が完全に硬化する前に、表面にコンクリート硬化遅延剤を散布し翌日、透水性樹脂混合物１１ｂの骨材の素地が見えるように洗い出しを行なうことで花台を作製した。続いて、本発明の液体供給装置１を化粧型枠１３に設けた穴から露出している導入パイプ５の一端に接続した。
室内に、作製した花台を置きその上に花瓶と造花のバラをセットした。揮発性液体２としてバラの香りの液体（カネボウ製）を貯蔵タンク３から投入した。調整バルブ７ａ及び７ｂをバイパス９側に設定し、このバラの香りの液体を花台の表面から香りが発散するまで、強制的に注入した。香りが出始めたら、調整バルブ７ａ及び７ｂを液量調節部６側に切り替え、点滴筒６１の点滴を見ながらローラクランプ６２で、点滴の滴下速度を２５〜３０秒／一滴に調節した。結果、花台の近くによるとバラの香りが一日中漂っていた。
また、香りの持続時間は、貯蔵タンク３の容量が２００ｃｃで一日８時間稼動させて６日間使用できることがわかった。
【図面の簡単な説明】
【００２４】
【図１】図１は、本発明の液体供給装置の一実施形態を保水性舗装体に施工した状態で模式的に示す断面図である。
【図２】図２は、保水性舗装体の内部に配置された、液体供給部と導水パイプとの位置関係の一例を示す上面図である。
【符号の説明】
【００２５】
１  本発明の液体供給装置
２  揮発性液体
３  貯蔵タンク
４  液体供給部
５  導入パイプ
６  液量調節部
７ａ  調整バルブ
７ｂ  調整バルブ
８  連結管
９  バイパス
９ａ  供給ポンプ
９ｂ  バイパス導入パイプ
１０  保水性舗装体
１１  透水性層
１１ａ  透水性樹脂舗装
１１ｂ  透水性コンクリート舗装
１２  保水材
１３  化粧型枠
１４  底板
６１  点滴筒
６２  ローラクランプ
６２ａ  側板
６２ｂ  側壁
６２ｃ  ローラ
６３  弾性チューブ
【図１】
0004667432.tif 000002
【図２】
0004667432.tif 000003